(57)【要約】【課題】  コンテンツ及びコンテンツについてのアプリケーションの録画方法及びその装置、コンテンツの再生方法及びその装置を提供する。【解決手段】  コンテンツ及びそのコンテンツに対応するアプリケーションを受信し、その受信されたアプリケーションと以前に受信されたアプリケーションとの間に共通部分が存在するか否かによって、受信されたコンテンツのみを録画するか、または受信されたコンテンツ及び受信されたアプリケーションを共に録画する録画方法である。【選択図】      図１２
2009100451.tif 000002
【特許請求の範囲】
【請求項１】
コンテンツ及び前記コンテンツについての付加情報を提供するためのアプリケーションの録画方法において、
前記コンテンツ及び前記コンテンツに対応するアプリケーションを受信するステップと、
前記受信されたアプリケーションと以前に受信されたアプリケーションとの間に共通部分が存在するか否かによって、前記コンテンツのみを録画するか、または前記コンテンツ及び前記コンテンツと共に受信されたアプリケーションを何れも録画するステップと、を含むことを特徴とする録画方法。
【請求項２】
前記受信するステップは、
前記アプリケーションを説明する情報のアプリケーション情報を共に受信し、前記アプリケーション情報は、前記アプリケーションの録画を制御するための録画制御情報を含むことを特徴とする請求項１に記載の録画方法。
【請求項３】
前記録画制御情報は、
前記アプリケーションで他のアプリケーションと共通する部分と共通しない部分とを定義した情報を含み、
前記録画するステップは、前記録画制御情報に基づいて、前記受信されたアプリケーションに共通部分が存在するか否かによって前記録画を行うことを特徴とする請求項２に記載の録画方法。
【請求項４】
前記録画制御情報は、
前記共通する部分及び前記共通しない部分に対応するデータの前記アプリケーションでの位置を、ツリー構造またはディレクトリ構造を利用して表示した情報であることを特徴とする請求項３に記載の録画方法。
【請求項５】
前記録画制御情報は、
前記受信されたコンテンツの識別子及び名称、前記受信されたコンテンツが相互間に関連関係を有する複数のコンテンツのうち一つである場合には、前記複数のコンテンツのうち、前記アプリケーションが適用されるコンテンツを特定するための情報、前記アプリケーションのバージョン及び満了期間のうち少なくとも一つを含むことを特徴とする請求項２に記載の録画方法。
【請求項６】
前記アプリケーション情報は、
テキスト、マークアップ言語及び二進フォーマットのうち少なくとも一つのフォーマットで構成されることを特徴とする請求項２に記載の録画方法。
【請求項７】
前記録画するステップは、
前記受信されたアプリケーションと前記以前に受信されたアプリケーションとの間に共通部分が存在するか否かを分析するステップをさらに含み、
前記録画するステップは、前記分析に基づいて、前記受信されたアプリケーションに共通部分が存在するか否かによって前記録画を行うことを特徴とする請求項１に記載の録画方法。
【請求項８】
前記録画するステップは、
前記受信されたアプリケーション全体が前記以前に受信されたアプリケーションと共通する場合には、前記受信されたコンテンツのみを録画することを特徴とする請求項１に記載の録画方法。
【請求項９】
前記録画するステップは、
前記受信されたアプリケーションの一部が前記以前に受信されたアプリケーションと共通する場合には、前記受信されたコンテンツを前記受信されたアプリケーションのうち、前記以前に受信されたアプリケーションと共通しない部分と共に録画することを特徴とする請求項１に記載の録画方法。
【請求項１０】
コンテンツの再生方法において、
前記コンテンツ及び前記コンテンツについての付加情報を提供するためのアプリケーションを、前記アプリケーションの保存如何の決定のための第１情報及び前記アプリケーションを説明する第２情報を含むアプリケーション情報と共に受信するステップと、
前記アプリケーション情報に基づいて、前記受信されたアプリケーションを選択的に保存するステップと、
前記保存されたアプリケーションと同じアプリケーションを利用するコンテンツが受信されれば、前記保存されたアプリケーションを利用して前記コンテンツを再生するステップと、を含むことを特徴とする再生方法。
【請求項１１】
前記アプリケーション情報は、前記保存されたアプリケーションの満了期間を表す第３情報をさらに含み、
前記保存されたアプリケーションは、前記第３情報に基づいて、所定の期間が経過すれば削除されることを特徴とする請求項１０に記載の再生方法。
【請求項１２】
コンテンツ及び前記コンテンツについての付加情報を提供するためのアプリケーションの録画装置において、
前記コンテンツ及び前記コンテンツに対応するアプリケーションを受信する受信部と、
前記受信部に受信されたアプリケーションと以前に受信されたアプリケーションとの間に共通部分が存在するか否かによって、前記コンテンツのみを録画するか、前記コンテンツ及び前記コンテンツと共に受信されたアプリケーションを何れも録画する録画部と、を備えることを特徴とする録画装置。
【請求項１３】
前記受信部は、
前記アプリケーションを説明する情報であるアプリケーション情報を共に受信し、前記アプリケーション情報は、前記アプリケーションの録画を制御するための録画制御情報を含むことを特徴とする請求項１２に記載の録画装置。
【請求項１４】
前記録画制御情報は、
前記アプリケーションで他のアプリケーションと共通する部分と共通しない部分とを定義した情報を含み、
前記録画部は、前記録画制御情報に基づいて、前記受信されたアプリケーションに共通部分が存在するか否かによって前記録画を行うことを特徴とする請求項１３に記載の録画装置。
【請求項１５】
前記録画制御情報は、
前記共通する部分及び前記共通しない部分に対応するデータの前記アプリケーションでの位置をツリー構造またはディレクトリ構造を利用して表示した情報であることを特徴とする請求項１４に記載の録画装置。
【請求項１６】
前記録画制御情報は、
前記受信されたコンテンツの識別子及び名称、前記受信されたコンテンツが相互間に関連関係を有する複数のコンテンツのうち一つである場合には、前記複数のコンテンツのうち、前記アプリケーションが適用されるコンテンツを特定するための情報、前記アプリケーションのバージョン及び満了期間のうち少なくとも一つを含むことを特徴とする請求項１３に記載の録画装置。
【請求項１７】
前記アプリケーション情報は、
テキスト、マークアップ言語及び二進フォーマットのうち少なくとも一つのフォーマットで構成されることを特徴とする請求項１３に記載の録画装置。
【請求項１８】
前記録画部は、
前記受信されたアプリケーションと前記以前に受信されたアプリケーションとの間に共通部分が存在するか否かを分析して、前記分析に基づいて、前記受信されたアプリケーションに共通部分が存在するか否かによって前記録画を行うことを特徴とする請求項１２に記載の録画装置。
【請求項１９】
前記録画部は、
前記受信されたアプリケーション全体が前記以前に受信されたアプリケーションと共通する場合には、前記受信されたコンテンツのみを録画することを特徴とする請求項１２に記載の録画装置。
【請求項２０】
前記録画部は、
前記受信されたアプリケーションの一部が前記以前に受信されたアプリケーションと共通する場合には、前記受信されたコンテンツを前記受信されたアプリケーションのうち、前記以前に受信されたアプリケーションと共通しない部分と共に録画することを特徴とする請求項１２に記載の録画装置。
【請求項２１】
前記録画結果及び前記録画されたアプリケーションのうち少なくとも一つを保存するための保存部をさらに備えることを特徴とする請求項１２に記載の録画装置。
【請求項２２】
コンテンツの再生装置において、
前記コンテンツ及び前記コンテンツについての付加情報を提供するためのアプリケーションを、前記アプリケーションの保存可否の決定のための第１情報及び前記アプリケーションを説明する第２情報を含むアプリケーション情報と共に受信する受信部と、
前記アプリケーション情報に基づいて、前記受信されたアプリケーションを選択的に保存する保存部と、
前記受信部が前記保存部に保存されたアプリケーションと同じアプリケーションを利用するコンテンツを受信すれば、前記保存されたアプリケーションを利用して前記コンテンツを再生する再生部と、を備えることを特徴とする再生装置。
【請求項２３】
前記アプリケーション情報は、前記保存されたアプリケーションの満了期間を表す第３情報をさらに含み、
前記第３情報に基づいて、所定の期間が経過すれば、前記保存されたアプリケーションを削除するアプリケーション管理部をさらに備えることを特徴とする請求項２２に記載の再生装置。
【請求項２４】
請求項１に記載の方法を実行させるためのプログラムが記録されたコンピュータで読み取り可能な記録媒体。
【発明の詳細な説明】
【技術分野】
【０００１】
本発明は、コンテンツの録画方法及び再生方法に係り、特に、コンテンツ及びそのコンテンツについてのアプリケーションの録画方法及び再生方法に関する。
【背景技術】
【０００２】
デジタルＴＶ及びＩＰ（インターネット  プロトコル）ＴＶの普及と共に、ハードディスクのような保存媒体を内蔵してデジタル放送を録画／再生する録画装置（パーソナル  ビデオ  レコーダ：ＰＶＲ）製品が発売されている。
【０００３】
図１は、従来のアナログ放送についての録画装置の録画方法の一実施形態を示す図である。図１は、従来の録画装置１００が受信された放送コンテンツ１及び放送コンテンツ２を録画した結果を示す図である。録画結果１  １０２は、放送コンテンツ１を録画したものであって、放送コンテンツ１に含まれたオーディオコンテンツ１及びビデオコンテンツ１が録画結果１  １０２に録画されている。録画結果２  １０４には、放送コンテンツ２に含まれたオーディオコンテンツ２及びビデオコンテンツ２が録画されている。図１で、従来の録画装置１００が録画結果を再生しようとする場合には、録画結果１  １０２または録画結果２  １０４を選択して再生する。
【０００４】
図２は、従来のデジタル放送についての録画装置の録画方法の一実施形態を示す図である。図２は、従来の録画装置２００が受信された放送コンテンツ１、アプリケーション１、放送コンテンツ２及びアプリケーション２を録画した結果を示す図である。
【０００５】
このように、デジタル放送の場合には、コンテンツのみが受信されるものではなく、そのコンテンツについての付加情報を提供するためのアプリケーションが共に受信される。このとき、アプリケーションは、受信された放送コンテンツで利用されるユーザインターフェースを提供するためのプログラムでもあり、放送コンテンツに登場する登場人物についての情報でもあり、登場人物の持ち物のうち一つについてのショッピング情報でもある。
【０００６】
図２で、従来の録画装置２００は、ＯＣＡＰ（オープン  ケーブル  アプリケーション  プラットフォーム）またはＭＨＰ（マルチメディア  ホーム  プラットフォーム）規格で構成されたデジタル放送を録画するとき、放送コンテンツ１及び放送コンテンツ２、そのそれぞれに対応するアプリケーションを共に録画する。したがって、録画結果１  ２０２には、放送コンテンツ１に含まれたオーディオコンテンツ１、ビデオコンテンツ１及びアプリケーション１が録画され、録画結果２  ２０４には、オーディオコンテンツ２、ビデオコンテンツ２及びアプリケーション２が録画される。
【０００７】
次いで、従来の録画装置２００が録画された放送コンテンツを再生する場合には、録画結果に録画されているオーディオコンテンツ、ビデオコンテンツを共に録画されたアプリケーションを利用して再生する。例えば、録画装置２００は、録画結果１
２０２のアプリケーション１がユーザインターフェースを提供するためのプログラムである場合には、そのようなユーザインターフェースを利用して録画結果１ ２０２に含まれたオーディオコンテンツ１及びビデオコンテンツ１を再生する。
【０００８】
このように、アナログ放送とは異なり、デジタル放送は、放送コンテンツを再生するとき、そのコンテンツについてのアプリケーションを利用して再生するため、視聴者に双方向データサービスを提供しうる。
【０００９】
一方、デジタル放送コンテンツのうち、同じアプリケーションを利用して再生される放送コンテンツがありうる。例えば、図２で放送コンテンツ２が利用するアプリケーションがアプリケーション２ではなく、アプリケーション１でありうる。このような場合にも、録画装置２００は、放送コンテンツ１及び放送コンテンツ２を録画するとき、放送コンテンツ１に対応してオーディオコンテンツ１、ビデオコンテンツ１及びアプリケーション１を録画し、放送コンテンツ２に対応してオーディオコンテンツ２、ビデオコンテンツ２及びアプリケーション１を録画する。すなわち、アプリケーション１は、放送コンテンツ１を録画する時と放送コンテンツ２を録画する時とに重複して録画される。
【００１０】
このように、従来の録画方法は、受信される放送コンテンツで利用されるアプリケーションが同じである場合にも、それぞれの放送コンテンツを録画するとき、いつもその同じアプリケーションまで共に重複して録画されるという問題点があった。
【発明の開示】
【発明が解決しようとする課題】
【００１１】
本発明の目的は、デジタル放送コンテンツ及びその放送コンテンツについてのアプリケーションをさらに効率的に録画して再生するためのコンテンツ及びそのコンテンツについてのアプリケーションの録画方法及びその装置、コンテンツの再生方法及びその装置を提供することである。
【課題を解決するための手段】
【００１２】
前記目的を達成するための本発明によるコンテンツ及び前記コンテンツについての付加情報を提供するためのアプリケーションの録画方法は、前記コンテンツ及び前記コンテンツに対応するアプリケーションを受信するステップと、前記受信されたアプリケーションと以前に受信されたアプリケーションとの間に共通部分が存在するか否かによって、前記コンテンツのみを録画するか、前記コンテンツのみを録画するか、前記コンテンツ及び前記コンテンツと共に受信されたアプリケーションを何れも録画するステップとを含む。
【００１３】
望ましくは、前記受信するステップは、前記アプリケーションを説明する情報であるアプリケーション情報を共に受信し、前記アプリケーション情報は、前記アプリケーションの録画を制御するための録画制御情報を含む。
【００１４】
望ましくは、前記録画制御情報は、前記アプリケーションで他のアプリケーションと共通する部分と共通しない部分とを定義した情報を含み、前記録画するステップは、前記録画制御情報に基づいて、前記受信されたアプリケーションに共通部分が存在するか否かによって前記録画を行うことを特徴とする。
【００１５】
望ましくは、前記録画制御情報は、前記共通する部分及び前記共通しない部分に対応するデータの前記アプリケーションでの位置をツリー構造またはディレクトリ構造を利用して表示した情報であることを特徴とする。
【００１６】
望ましくは、前記録画制御情報は、前記受信されたコンテンツの識別子及び名称、前記受信されたコンテンツが相互間に関連関係を有する複数のコンテンツのうち一つである場合には、前記複数のコンテンツのうち、前記アプリケーションが適用されるコンテンツを特定するための情報、前記アプリケーションのバージョン及び満了期間のうち少なくとも一つを含む。
【００１７】
望ましくは、前記アプリケーション情報は、テキスト、マークアップ言語及び二進フォーマットのうち少なくとも一つのフォーマットで構成されることを特徴とする。
【００１８】
望ましくは、前記録画するステップは、前記受信されたアプリケーションと前記以前に受信されたアプリケーションとの間に共通部分が存在するか否かを分析するステップをさらに含み、前記録画するステップは、前記分析に基づいて、前記受信されたアプリケーションに共通部分が存在するか否かによって前記録画を行うことを特徴とする。
【００１９】
望ましくは、前記録画するステップは、前記受信されたアプリケーション全体が前記以前に受信されたアプリケーションと共通する場合には、前記受信されたコンテンツのみを録画することを特徴とする。
【００２０】
望ましくは、前記録画するステップは、前記受信されたアプリケーションの一部が前記以前に受信されたアプリケーションと共通する場合には、前記受信されたコンテンツを前記受信されたアプリケーションのうち、前記以前に受信されたアプリケーションと共通しない部分と共に録画することを特徴とする。
【００２１】
また、前記目的を達成するための本発明によるコンテンツの再生方法は、前記コンテンツ及び前記コンテンツについての付加情報を提供するためのアプリケーションを、前記アプリケーションの保存可否の決定のための第１情報及び前記アプリケーションを説明する第２情報を含むアプリケーション情報と共に受信するステップと、前記アプリケーション情報に基づいて、前記受信されたアプリケーションを選択的に保存するステップと、前記保存されたアプリケーションと同じアプリケーションを利用するコンテンツが受信されれば、前記保存されたアプリケーションを利用して前記コンテンツを再生するステップとを含む。
【００２２】
望ましくは、前記アプリケーション情報は、前記保存されたアプリケーションの満了期間を表す第３情報をさらに含み、前記保存されたアプリケーションは、前記第３情報に基づいて、所定の期間が経過すれば削除されることを特徴とする。
【００２３】
また、前記目的を達成するための本発明によるコンテンツ及び前記コンテンツについての付加情報を提供するためのアプリケーションの録画装置は、前記コンテンツ及び前記コンテンツに対応するアプリケーションを受信する受信部と、前記受信部に受信されたアプリケーションと以前に受信されたアプリケーションとの間に共通部分が存在するか否かによって、前記コンテンツのみを録画するか、前記コンテンツ及び前記コンテンツと共に受信されたアプリケーションを何れも録画する録画部とを備える。
【００２４】
また、前記目的を達成するための本発明によるコンテンツ再生装置は、前記コンテンツ及び前記コンテンツについての付加情報を提供するためのアプリケーションを、前記アプリケーションの保存可否の決定のための第１情報及び前記アプリケーションを説明する第２情報を含むアプリケーション情報と共に受信する受信部と、前記アプリケーション情報に基づいて、前記受信されたアプリケーションを選択的に保存する保存部と、前記受信部が前記保存部に保存されたアプリケーションと同じアプリケーションを利用するコンテンツを受信すれば、前記保存されたアプリケーションを利用して前記コンテンツを再生する再生部とを備える。
望ましくは、前記アプリケーション情報は、前記保存されたアプリケーションの満了期間を表す第３情報をさらに含み、前記第３情報に基づいて、所定の期間が経過すれば、前記保存されたアプリケーションを削除するアプリケーション管理部をさらに備える。
【００２５】
また、本発明は、前記目的を達成するために、コンテンツ及び前記コンテンツに対応するアプリケーションを受信するステップと、前記受信されたアプリケーションと以前に受信されたアプリケーションとの間に共通部分が存在するか否かによって、前記コンテンツのみを録画するか、前記コンテンツ及び前記コンテンツと共に受信されたアプリケーションを何れも録画するステップをと、含むコンテンツ及び前記コンテンツについての付加情報を提供するためのアプリケーションの録画方法を実行させるためのプログラムが記録されたコンピュータで読み取り可能な記録媒体を提供する。
【００２６】
また、本発明は、前記目的を達成するために、前記コンテンツ及び前記コンテンツについての付加情報を提供するためのアプリケーションを、前記アプリケーションの保存可否の決定のための情報と前記アプリケーションを説明する情報とを含むアプリケーション情報と共に受信するステップと、前記アプリケーション情報に基づいて、前記受信されたアプリケーションを選択的に保存するステップと、前記保存されたアプリケーションと同じアプリケーションを利用するコンテンツが受信されれば、前記保存されたアプリケーションを利用して前記コンテンツを再生するステップと、を含むコンテンツ再生方法を実行させるためのプログラムが記録されたコンピュータで読み取り可能な記録媒体を提供する。
【発明の効果】
【００２７】
本発明は、コンテンツ及びそのコンテンツに対応するアプリケーションを受信し、その受信されたアプリケーションと以前に受信されたアプリケーションとの間に共通部分が存在するか否かによって、受信されたコンテンツのみを録画するか、または受信されたコンテンツ及び受信されたアプリケーションを共に録画することによって、デジタル放送コンテンツ及びその放送コンテンツについてのアプリケーションをさらに効率的に録画しうる。
【００２８】
また、本発明は、コンテンツ及びそのコンテンツについての付加情報を提供するためのアプリケーションを、そのアプリケーションの保存可否の決定のための情報とアプリケーションを説明する情報とを含むアプリケーション情報と共に受信し、その受信されたアプリケーション情報に基づいて、受信されたアプリケーションを選択的に保存した後、保存されたアプリケーションと同じアプリケーションを利用するコンテンツが受信されれば、その保存されたアプリケーションを利用してコンテンツを再生することによって、デジタル放送コンテンツ及びその放送コンテンツについてのアプリケーションをさらに効率的に再生しうる。
【発明を実施するための最良の形態】
【００２９】
以下では、添付された図面を参照して、本発明の望ましい実施形態について説明する。
【００３０】
図３は、本発明によるコンテンツ及びそのコンテンツについてのアプリケーションの録画装置の一実施形態を示す図である。図３を参照するに、本発明による録画装置は、受信部３１０及び録画部３２０を備える。
【００３１】
受信部３１０は、コンテンツ及びそのコンテンツに対応するアプリケーションを受信する。
【００３２】
ここで、アプリケーションは、前述したように、コンテンツについての付加情報でもあり、コンテンツについての付加情報を提供するためのプログラムまたはコンテンツと関連した付加的なサービスを提供するためのプログラムでもある。
【００３３】
このとき、受信部３１０の受信するコンテンツは、以前に受信されたコンテンツと関連したコンテンツでありうる。例えば、以前に受信されたコンテンツが１６個のエピソードからなるドラマのうち、第一のエピソードに関するコンテンツであったが、現在受信部３１０を通じて受信されたコンテンツが第二のエピソードに関するコンテンツでありうる。また、以前に受信されたコンテンツが英国のサッカーリーグ競技のうち一つの競技に関するものでもあり、現在受信されたコンテンツが英国のサッカーリーグ競技のうち他の競技に関するものでもある。
【００３４】
前記例で受信されたコンテンツは、相互間に関連性があるため、それぞれのコンテンツで利用するアプリケーションが同一でありうる。また、それぞれのコンテンツについてのアプリケーションが同一ではなくても、それぞれのアプリケーション間に共通する部分が存在しうる。
【００３５】
一方、受信部３１０は、受信されたアプリケーションを説明する情報であるアプリケーション情報をさらに受信しうる。例えば、アプリケーション情報には、アプリケーションのバージョン及びアプリケーションの満了期間に関する情報が含まれる。
【００３６】
また、アプリケーション情報には、アプリケーションの録画を制御するための録画制御情報がさらに含まれる。このとき、録画制御情報には、アプリケーションと共に受信されたコンテンツを識別するための識別子及び名称が含まれ、受信されたコンテンツが相互間に関連関係を有する複数のコンテンツのうち一つである場合、例えば、複数のエピソードで構成されたドラマについてのコンテンツのうち一つである場合には、そのアプリケーションが複数のエピソードのうち何れかのエピソードに利用されるかについての情報も含まれ、受信されたアプリケーションが満了される期間についての情報も含まれる。
【００３７】
アプリケーション情報及びそれに含まれた録画制御情報については、図４ないし図６を参照して詳細に説明する。
【００３８】
録画部３２０は、受信部３１０を通じて受信されたアプリケーションと以前に受信されたアプリケーションとの間に共通部分が存在するか否かによって、その受信されたコンテンツのみを録画するか、またはそのコンテンツ及びそのコンテンツと共に受信されたアプリケーションを何れも録画する。
【００３９】
例えば、受信部３１０を通じて現在受信されたアプリケーション全体が以前に受信されたアプリケーションと共通する場合には、録画部３２０は、コンテンツと共に受信されたアプリケーションは録画せず、コンテンツのみを録画する。ここで、以前に受信されたアプリケーションとは、以前に受信部３１０を通じてコンテンツと共に受信された後、録画部３２０を通じてコンテンツと共に録画されて本発明による録画装置に保存されているアプリケーションを称す。
【００４０】
望ましくは、本発明による録画装置は、録画結果及び録画されたアプリケーションのうち少なくとも一つを保存するための保存部（図示せず）をさらに備えうる。
【００４１】
一方、受信部３１０を通じて現在受信されたアプリケーションの全体が以前に受信されたアプリケーションと共通されず、その受信されたアプリケーションのうち一部が以前に受信されたアプリケーションと共通する場合がありうる。この場合には、本発明による録画部３２０は、現在受信されたアプリケーションのうち、以前に受信されたアプリケーションと共通しない部分と現在受信されたコンテンツとを共に録画する。
【００４２】
このとき、録画部３２０は、受信部３１０を通じて受信されたアプリケーション情報内の録画制御情報に基づいて、コンテンツのみを録画するか、またはコンテンツとそれについてのアプリケーションとを共に録画しうる。
【００４３】
しかしながら、アプリケーション情報内に録画制御情報が含まれていないこともある。このような場合には、録画部３２０は、受信部３１０を通じて受信されたアプリケーションと以前に受信されたアプリケーションとの間に共通部分が存在するか否かを分析し、その分析に基づいて、コンテンツのみを録画するか、またはコンテンツとそれについてのアプリケーションとを共に録画しうる。
【００４４】
すなわち、本発明による録画部３２０は、アプリケーション情報が受信されないか、またはアプリケーション情報が受信されたものの、そのアプリケーション情報に録画制御情報が含まれていない場合にも、受信されたコンテンツ及びアプリケーションを分析して、その分析によって受信されたアプリケーションを録画するか否かを決定しうる。
【００４５】
録画部３２０の具体的な動作については、図７ないし図９を参照して後述する。
【００４６】
図４は、本発明によるアプリケーション情報についての一実施形態を示す図である。図４は、受信部３１０を通じてコンテンツとそのコンテンツについてのアプリケーションとを受信するとき、共に受信されたアプリケーション情報の一実施形態を示す図である。
【００４７】
図４で、“Ｖｅｒｓｉｏｎ”は、アプリケーションのバージョンを表す。録画部３２０は、“Ｖｅｒｓｉｏｎ”情報を通じて現在受信されたアプリケーションと以前に受信されたアプリケーションとの間に共通した部分が存在するか否かを判断しうる。例えば、図４で以前に受信されたアプリケーションの“Ｖｅｒｓｉｏｎ”が１.０である場合、現在のアプリケーションの“Ｖｅｒｓｉｏｎ”が１.１であるので、このようにバージョンが０.１ほど変更されつつ発生した小さい差を除いては、残りの部分が以前に受信されたアプリケーションとの間で共通した部分ということが分かる。
【００４８】
“Ｓｅｒｉｅｓ  ＩＤ”は、アプリケーションに対応するコンテンツの識別子であり、ここで、“Ｓｅｒｉｅｓ”という本実施形態におけるコンテンツが複数のエピソードで構成されたシリーズ物のうち一つのコンテンツということを表す。また、“Ｓｅｒｉｅｓ  ＩＤ”は、このようなシリーズ物を特定できる識別子である。例えば、図４のようなアプリケーション情報を有するコンテンツの“Ｓｅｒｉｅｓ  Ｎａｍｅ”は、“ＬＯＳＴ”であり、“ＬＯＳＴ”というシリーズ物の“Ｓｅｒｉｅｓ  ＩＤ”は、“０ｘ１０００”となる。もし、“Ｓｅｒｉｅｓ  Ｎａｍｅ”が“Ｗｏｒｌｄ  Ｓｏｃｃｅｒ”であれば、“Ｗｏｒｌｄ  Ｓｏｃｃｅｒ”である場合には、シリーズ物の“Ｓｅｒｉｅｓ  ＩＤ”は、“０ｘ２０００”に決定されることもある。
【００４９】
“Ｓｅｒｉｅｓ  Ｖｅｒｓｉｏｎ  ｏｒ  Ｓｅａｓｏｎ  Ｎｕｍｂｅｒ”は、このようなシリーズ物のバージョンまたはシーズン番号を表す。例えば、“ＬＯＳＴ”というシリーズ物が１年に一回ずつ作られるとすれば、第一に作られたシリーズバージョン／シーズン番号は、１となり、第二に作られたシリーズバージョン／シーズン番号は、２となりうる。このようなシリーズバージョン／シーズン番号を通じて“Ｓｅｒｉｅｓ  ＩＤ”及び“Ｓｅｒｉｅｓ  Ｎａｍｅ”が同じコンテンツをさらに細分化して区分しうる。
【００５０】
“Ｃｕｒｒｅｎｔ  Ｅｐｉｓｏｄｅ”は、現在受信されたアプリケーションと共に受信されたコンテンツが何番目のエピソードについてのコンテンツであるかを特定するためのものである。図４の例では、“Ｃｕｒｒｅｎｔ  Ｅｐｉｓｏｄｅ”が“Ｅｐｉｓｏｄｅ  ２”であるので、アプリケーションと共に受信されたコンテンツは、第２のエピソードについてのコンテンツであるということが分かる。
【００５１】
“Ｅｐｉｓｏｄｅ  Ｓｅｔ”は、受信されたアプリケーションが複数のエピソードのうちいずれかのエピソードについてのコンテンツに利用されるかを特定するための情報である。図４の例では、“Ｅｐｉｓｏｄｅ  Ｓｅｔ”が“ＡＬＬ”に設定されているので、受信されたアプリケーションが全てのエピソードについてのコンテンツに利用されるということが分かる。もし、“Ｅｐｉｓｏｄｅ  Ｓｅｔ”が“１〜６”に設定された場合であれば、第一から第六までのエピソードについてのコンテンツに受信されたアプリケーションがコンテンツの再生に利用されるということが分かる。
【００５２】
“Ｅｘｐｉｒｅ  Ｄａｔｅ”は、受信されたアプリケーションが満了される期間を表す。本発明では、以前に受信部３１０を通じて受信されたアプリケーションを、後述する録画部３２０を通じて録画し、その録画しておいたアプリケーションと同じアプリケーションを利用するコンテンツが受信されれば、その録画しておいたアプリケーションを利用して受信されたコンテンツを再生する。このとき、録画しておいたアプリケーションを保存し続けるのではなく、満了期間が経過すれば削除するが、“Ｅｘｐｉｒｅ  Ｄａｔｅ”は、このような満了期間を表す。図４では、２００７年１２月３１日が経過すれば、録画されたアプリケーションを削除する。
【００５３】
“Ｓｅｒｖｅｒ  Ｅｘｐｉｒｅ  Ｄａｔｅ”は、アプリケーションを放送局から受信せず、ウェブサーバまたはインターネットサーバから受信する場合に、そのようなアプリケーションをサーバから受信しなければ、いつサーバからそのアプリケーションが削除されるかについての期間を表した情報である。例えば、図４で“Ｓｅｒｖｅｒ  Ｅｘｐｉｒｅ  Ｄａｔｅ”が２００７年１０月３１日であるので、この期間までにサーバからアプリケーションを受信しなければ、そのアプリケーションは、サーバから削除される。したがって、アプリケーションが“Ｓｅｒｖｅｒ  Ｅｘｐｉｒｅ  Ｄａｔｅ”以後にも使われる予定である場合には、そのアプリケーションを“Ｓｅｒｖｅｒ  Ｅｘｐｉｒｅ  Ｄａｔｅ”以前に予め受信して保存しておく必要性がある。
【００５４】
図４の例での“Ｖｅｒｓｉｏｎ”、“Ｓｅｒｉｅｓ  ＩＤ”、“Ｓｅｒｉｅｓ  Ｎａｍｅ”、“Ｓｅｒｉｅｓ  Ｖｅｒｓｉｏｎ  ｏｒ  Ｓｅａｓｏｎ  Ｎｕｍｂｅｒ”、“Ｃｕｒｒｅｎｔ  Ｅｐｉｓｏｄｅ”、“Ｅｐｉｓｏｄｅ  Ｓｅｔ”、“Ｅｘｐｉｒｅ  Ｄａｔｅ”及び“Ｓｅｒｖｅｒ  Ｅｘｐｉｒｅ  Ｄａｔｅ”は、録画制御情報に含まれ、アプリケーション情報は、このような録画制御情報以外にも、アプリケーションについての情報をさらに含みうる。
【００５５】
一方、録画制御情報は、図４のような方式で構成されることもあるが、現在受信されたアプリケーションで他のアプリケーションとの間で共通する部分及び共通しない部分に対応するデータがアプリケーションで存在する位置をツリー構造またはディレクトリ構造を利用して表示した情報で構成されることもある。
【００５６】
このように共通する部分を表示できるのは、アプリケーションが異なっても完全に新たに構成されず、一般的には、所定の共通部分で少しずつ異なる部分を追加する方式で構成されるためである。
【００５７】
例えば、アプリケーションＡが１６個のエピソードで構成されたドラマのうち、第３のエピソードついてのコンテンツの登場人物情報に関するものであるとすれば、第４のエピソードについてのコンテンツのアプリケーションであるアプリケーションＢは、アプリケーションＡの登場人物情報で第４のエピソードに新たに登場する人物についての情報が追加される形態で構成される。このとき、アプリケーション４でアプリケーションＡの第３のエピソードについてのコンテンツの登場人物情報に関する部分が共通部分となり、第４のエピソードに新たに登場する人物についての情報が共通にされない部分となる。
【００５８】
図５は、本発明による録画制御情報の一実施形態を示す図である。図５には、アプリケーションを受信するとき、共に受信されたアプリケーション情報に含まれた録画制御情報の一実施形態が示されている。図５を参照するに、以前に受信されたアプリケーションと共通する部分に対応するデータのアプリケーションでの位置が上端の“ｓｈａｒｅｄｐａｒｔ”領域に表示されており、共通しない部分に対応するデータのアプリケーションでの位置が下端の“ｎｏｎｓｈａｒｅｄｐａｒｔ”領域に表示されている。
【００５９】
このように、アプリケーションでのデータの位置を表示する理由は、アプリケーションは、複数のディレクトリにわたって存在する多様なデータを利用して構成されるが、そのデータのうち、共通する部分と共通しない部分とを区分して表示することにより、録画部３２０が受信部３１０を通じて受信されたアプリケーションを構成するデータのうち、どんなデータのみを録画するかを決定させるためである。
【００６０】
図５で、“ｄｉｒｎａｍｅ”は、ディレクトリ名であり、“ｆｉｌｅｎａｍｅ”は、ファイル名である。これに基づいて、図５の録画制御情報を分析すれば、共通した部分に対応するデータのアプリケーションでの位置は、“ｃｏｍ\ｏｃａｐ”というディレクトリである。また、そのディレクトリに存在する共通するデータは、“Ａｐｐ.ｃｌａｓｓ”となる。このとき、ファイル名のそばに“ｓｉｚｅ”が表示されているが、これは、そのデータの大きさを表すものであって、以後にアプリケーションでのデータが録画されて保存部に保存されれば、保存部に保存しようとするデータが正しく保存されたか否かをチェックするための情報である。
【００６１】
図５の下端を見れば、共通しない部分に対応するデータのアプリケーションでの位置が“ｒｅｓｏｕｒｃｅ\ｔｅｘｔ”及び“ｉｍａｇｅ”で表示されている。また、それぞれのディレクトリに存在する共通しないデータは、それぞれ“ｄａｔａ１.ｔｘｔ”及び“ｉｍａｇｅ１.ｐｎｇ”となる。
【００６２】
この場合にも、それぞれのファイル名のそばに“ｓｉｚｅ”がそれぞれ“１００”と“６５５３５”で表示されている。
【００６３】
受信部３１０が図５のような録画制御情報を受信すれば、録画部３２０は、これに基づいて、受信されたアプリケーションで他のアプリケーションと共通しないデータである“ｄａｔａ１.ｔｘｔ”及び“ｉｍａｇｅ１.ｐｎｇ”ファイルのみを録画する。
【００６４】
図６は、本発明による録画制御情報の第２実施形態を示す図である。図６を参照するに、図５とは異なり、他のアプリケーションと共通するか、または共通しない部分に対応するデータのアプリケーションの位置のみが表示されており、そのデータが何かについては表示されていない。この場合は、その位置にある全てのファイルが共通するか、または共通しないデータの場合でもあり、そのディレクトリ内に存在するファイルが一つでもある。すなわち、ファイル名を表示せずとも、共通するか、または共通しない部分に対応するデータを特定しうる場合には、図６のように対応するデータのファイル名の表示を省略することもある。
【００６５】
図７ないし図１１は、本発明による録画部の動作の一実施形態を説明するために示す図である。
【００６６】
図７は、受信部３１０を通じて経時的に順次にコンテンツ１ないしコンテンツＮ及びそれに対応するアプリケーションが受信されるとき、その受信されたアプリケーションがアプリケーション１と共通する場合の録画部３２０の動作の一実施形態を説明するために示す図である。図７を参照するに、録画結果１は、オーディオコンテンツ１、ビデオコンテンツ１及びアプリケーション１を含んでいる。また、録画結果２は、オーディオコンテンツ２、ビデオコンテンツ２を含んでおり、録画結果Ｎは、オーディオコンテンツＮ、ビデオコンテンツＮを含んでいる。すなわち、図７で、録画結果１を除いては、録画結果２ないし録画結果Ｎは、そのコンテンツに対応するアプリケーションが共に録画されていない。
【００６７】
このように、本発明における録画部３２０は、以前に受信されたコンテンツ１を録画する時にアプリケーション１を録画したならば、以後に受信されたコンテンツのコンテンツ２ないしコンテンツＮを録画する時に、その共通するアプリケーションであるアプリケーション１は録画せず、それぞれの受信されたコンテンツのオーディオコンテンツ及びビデオコンテンツのみを録画する。
【００６８】
図８は、受信部３１０を通じて経時的に順次にコンテンツ１ないしコンテンツＮ及びそれに対応するアプリケーションが受信されるとき、その受信されたアプリケーションがアプリケーション１と共通する場合の録画部３２０の動作の第２実施形態を説明するために示す図である。図８を参照するに、図７とは異なり、録画結果１にアプリケーション１が共に録画されておらず、アプリケーション１が別途に録画されている。このように、別途に録画されたアプリケーションであるアプリケーション１は、録画結果１ないし録画結果Ｎが再生される時に利用される。
【００６９】
図９は、受信部３１０を通じて経時的に順次にコンテンツ１ないしコンテンツＮ及びそれに対応するアプリケーションが受信されるとき、その受信されたアプリケーションが共通する部分を有している場合の録画部３２０の動作の一実施形態を説明するために示す図である。図９を参照するに、録画結果１は、オーディオコンテンツ１、ビデオコンテンツ１及びアプリケーション１を含んでいる。ここで、アプリケーション１は、共通１と非共通１とで構成されるが、共通１は、アプリケーション１のうち他のアプリケーションと共通する部分を表し、非共通１は、アプリケーション１のうち他のアプリケーションと共通しない部分を表す。
【００７０】
録画結果２は、オーディオコンテンツ２、ビデオコンテンツ２及び非共通２を含んでおり、録画結果Ｎは、オーディオコンテンツＮ、ビデオコンテンツＮ及び非共通Ｎを含んでいる。すなわち、録画部３２０は、録画結果２ないし録画結果Ｎに対応するアプリケーションが共通１を共通部分として有しているため、それぞれのアプリケーションで共通共通１を除外した部分である非共通２ないし非共通Ｎのみをさらに録画する。
【００７１】
図１０は、受信部３１０を通じて経時的に順次に受信されたコンテンツであるコンテンツ１ないしコンテンツＮに対応するアプリケーションが共通する部分を有している場合の録画部３２０の動作の第２実施形態を説明するために示す図である。図１０を参照するに、録画結果１は、オーディオコンテンツ１、ビデオコンテンツ１及びアプリケーション１を含んでいる。ここで、アプリケーション１は、共通１及び非共通１で構成され、録画結果２は、オーディオコンテンツ２、ビデオコンテンツ２及び非共通２を含んでいる。すなわち、録画結果２には、アプリケーション１と共通する部分である共通１を除外した非共通２及びコンテンツのみが録画されている。
【００７２】
一方、録画結果３は、オーディオコンテンツ３、ビデオコンテンツ３及びアプリケーション３を含んでいる。このとき、録画結果３にアプリケーション３が録画された理由は、コンテンツ３のアプリケーションであるアプリケーション３に録画結果１に録画されたアプリケーション１と共通する部分が存在しないためである。
【００７３】
ここで、アプリケーション３は、共通３と非共通３とで構成され、録画結果４は、オーディオコンテンツ４、ビデオコンテンツ４及び非共通４を含んでおり、録画結果Ｎは、オーディオコンテンツＮ、ビデオコンテンツＮ及び非共通Ｎを含んでいる。すなわち、録画結果４ないし録画結果Ｎには、アプリケーション３と共通する部分である共通３を除外した非共通４ないし非共通Ｎが録画されている。
【００７４】
図１０で、それぞれのアプリケーションが含んでいる共通部分が共通１であるか、または共通３であるかについては、録画制御情報に表示されていることもあり、録画部３２０が以前に受信されたアプリケーションと現在受信されたアプリケーションとを分析し出すこともある。
【００７５】
図１１は、受信部３１０を通じて経時的に順次に受信されたコンテンツであるコンテンツ１ないしコンテンツＮに対応するアプリケーションが共通する部分を有している場合の録画部３２０の動作の第３実施形態を説明するために示す図である。図１１を参照するに、図１０とは異なり、録画結果１及び録画結果３にアプリケーション１及びアプリケーション３が録画されておらず、非共通１及び非共通３が録画されており、アプリケーション１の共通部分である共通１とアプリケーション３の共通部分である共通３とが別途に録画されている。
【００７６】
このように、具現例によっては、録画部３２０がアプリケーションのうち共通する部分のみをコンテンツとは別途に録画しうる。
【００７７】
図１２は、本発明によるコンテンツ及びそのコンテンツについてのアプリケーションの録画方法の一実施形態を示すフローチャートである。
【００７８】
ステップ１２１０では、コンテンツ及びそのコンテンツに対応するアプリケーションを受信する。このとき、アプリケーションを説明する情報であるアプリケーション情報を共に受信しうる。
【００７９】
ステップ１２２０では、受信されたアプリケーションと以前に受信されたアプリケーションとの間に共通部分が存在するか否かを分析する。
【００８０】
もし、ステップ１２１０でアプリケーション情報が共に受信され、そのアプリケーション情報にアプリケーションで他のアプリケーションと共通する部分と共通しない部分とを定義した情報である録画制御情報が含まれている場合には、ステップ１０２０は省略される。
【００８１】
ステップ１２３０では、その分析に基づいて、コンテンツのみを録画するか、またはコンテンツ及びそのコンテンツと共に受信されたアプリケーションを何れも録画する。
【００８２】
前述したように、ステップ１２１０でアプリケーション情報が共に受信され、そのアプリケーション情報に録画制御情報が含まれている場合には、録画部３２０は、その録画制御情報に基づいて、コンテンツのみを録画するか、またはコンテンツ及びそのコンテンツと共に受信されたアプリケーションを何れも録画する。
【００８３】
図１３は、本発明による録画方法によって録画されたコンテンツを再生する方法の一実施形態を示す図である。図１３を参照するに、録画結果１  １３１０ａないし録画結果３  １３３０ａに含まれたオーディオコンテンツ及びビデオコンテンツは、共に含まれた非共通部分とアプリケーション１の共通部分とを利用して再生される。
【００８４】
例えば、録画結果１  １３１０ａの場合には、オーディオコンテンツ１及びビデオコンテンツ１を非共通１及びアプリケーション１の共通部分を利用して再生する。
【００８５】
録画結果１  １３１０ａの再生結果１３１０ｂで、“ｌｏｇｏ.ｐｎｇ”と表示された“ロゴ絵”及び“エピソード１”と表示された下端の字幕は、非共通１に該当する内容が再生された画面であり、ＡＶは、オーディオコンテンツ１及びビデオコンテンツ１に該当する内容が再生された画面である。すなわち、録画結果１の再生結果１３１０ｂで“ｌｏｇｏ.ｐｎｇが表示されたロゴ絵”及び“エピソード１”と表示された字幕を除いては、アプリケーション１の共通部分を利用してコンテンツが再生される。
【００８６】
録画結果１  １３１０ａの再生結果１３１０ｂと同様に、録画結果２  １３２０ａの再生結果１３２０ｂで、“ｌｏｇｏ.ｐｎｇ”と表示された“ロゴ絵”及び“エピソード２”と表示された字幕は、録画結果２  １３２０ａの非共通２に対応し、録画結果３  １３３０ａの再生結果１３３０ｂで、“ｌｏｇｏ.ｐｎｇ”と表示された“ロゴ絵”及び“エピソード３”と表示された字幕は、録画結果３  １３３０ａの非共通３に対応する。
【００８７】
これまでは、コンテンツ及びそのコンテンツについてのアプリケーションの録画方法について説明した。以下では、前記方法を応用してコンテンツを再生する方法を説明する。
【００８８】
図１４は、本発明によるコンテンツの再生装置の一実施形態を示す図である。図１４を参照するに、本発明によるコンテンツの再生装置は、受信部１４１０、保存部１４２０及び再生部１４３０を備える。
【００８９】
受信部１４１０は、コンテンツ及びそのコンテンツについての付加情報を提供するためのアプリケーションを、アプリケーションの保存可否の決定のための情報及びアプリケーションを説明する情報を含むアプリケーション情報と共に受信する。
【００９０】
このとき、アプリケーションの保存可否の決定のための情報は、受信部１４１０を通じて受信されたアプリケーションがこれから利用され続けるか否かについての情報、もし、そのアプリケーションがこれから継続的に利用される予定ならば、どれほどの期間利用されるかについての情報を含みうる。
【００９１】
例えば、チャンネル１番を有する放送局で毎週月曜日、火曜日ごとにドラマＡを放映するが、そのドラマが６ヶ月間放映される予定でありうる。このとき、放送局は、そのドラマについてのコンテンツ及びそのコンテンツについてのアプリケーションをユーザのＴＶに伝送しつつ、そのアプリケーションを６ヶ月間利用する予定であるという情報が記録されたアプリケーション情報を共に伝送しうる。このような方法は、周期的に放映されるショープログラム、スポーツプログラムについてのコンテンツにも利用される。
【００９２】
また、アプリケーション情報は、もし、ユーザのＴＶに受信されたアプリケーションと同じアプリケーションが既に保存されている場合には、そのアプリケーションを利用してコンテンツを再生することを指示する情報を含み、アプリケーションの満了期間についての情報を含みうる。
【００９３】
すなわち、このように、アプリケーション情報に満了期間についての情報が含まれている場合には、ユーザのＴＶに保存されているアプリケーションは、その満了期間が経過すれば削除される。但し、以後にその満了期間を延長する情報が含まれたアプリケーション情報を受信すれば、満了期間は延びうる。
【００９４】
望ましくは、本発明によるコンテンツ再生装置は、アプリケーション情報に基づいて、所定の満了期間が経過したアプリケーションを削除するアプリケーション管理部（図示せず）をさらに備える。
【００９５】
保存部１４２０は、アプリケーション情報に基づいて、受信部１４１０を通じて受信されたアプリケーションを選択的に保存する。
【００９６】
すなわち、保存部１４２０は、受信部１４１０を通じて受信されたアプリケーションがこれから継続的に利用される予定であるという情報がアプリケーション情報に含まれている場合には、その受信されたアプリケーションを保存する。
【００９７】
但し、保存部１４２０に既にその受信されたアプリケーションと同じアプリケーションが保存されていることもある。この場合には、保存部１４２０は、アプリケーション情報に受信されたアプリケーションがこれから継続的に利用される予定であるという情報が含まれていても、その受信されたアプリケーションを保存しない。
【００９８】
一方、保存部１４２０に保存されたアプリケーションよりバージョンの高いアプリケーションが受信部１４１０を通じて受信されるが、アプリケーション管理部は、このような場合に、保存部１４２０に保存されたアプリケーションをさらにバージョンの高いアプリケーションにアップデートしうる。このように、本発明では、それぞれのアプリケーションに対してバージョンを付与することによって、効果的にアプリケーションに対するアップデートを行える。
【００９９】
このとき、保存部１４２０は、ハードディスク、ＲＯＭ（リード  オンリ  メモリ）、フラッシュメモリのような全ての保存媒体を含む。
【０１００】
再生部１４３０は、受信部１４１０が保存部１４２０に保存されたアプリケーションと同じアプリケーションを利用するコンテンツを受信すれば、保存部１４２０に保存されたアプリケーションを利用してコンテンツを再生する。
【０１０１】
図１５及び図１６は、本発明によるコンテンツ再生装置の動作を説明するための一実施形態を示す図である。
【０１０２】
図１５は、受信部１４１０がチャンネル１及びチャンネル２の多様なコンテンツ及びそれに対応するアプリケーションを受信し、再生部１４３０がその受信されたコンテンツをそれぞれに対応するアプリケーションを利用して再生する過程を示す図である。図１５で、受信部１４１０の受信したコンテンツが保存部１４２０に保存されたアプリケーションであるアプリケーション１  ＡＰＰ１を利用するコンテンツであるか否かによって、再生部１４３０は、コンテンツを再生する時に受信部１４１０を通じて受信されたアプリケーションを利用するか、または保存部１４２０に保存されたアプリケーションを利用する。
【０１０３】
一方、受信部１４１０は、コンテンツ及びそれに対応するアプリケーションと共にアプリケーション情報を受信しうる。このとき、アプリケーション情報は、受信されたアプリケーションを保存部１４２０に保存するとき、一時的に保存するか、または長期間保存するかを決定するための情報を含みうる。また、アプリケーション情報は、アプリケーションの満了期間についての情報もさらに含みうる。このような満了期間についての情報によって、保存部１４２０に保存されたアプリケーションは、所定の期間が経過すれば削除される。
【０１０４】
図１５を参照して、まず保存部１４２０に一時的に保存されるように設定されたアプリケーションを利用して、コンテンツを再生する方法について説明する。図１５で、ユーザがＴＶのチャンネル１でドラマＡのエピソード２を視聴し、暫くチャンネル２でドキュメンタリーを視聴した後、再びチャンネル１でドラマＡのエピソード２を視聴しうる。
【０１０５】
このような場合に、はじめにチャンネル１でドラマＡのエピソード２を視聴するとき、それに対応するアプリケーションであるアプリケーション１  ＡＰＰ１を保存部１４２０に一時的に保存した場合には、再びドラマＡのエピソード２を視聴しようとするとき、ＴＶは、アプリケーション１  ＡＰＰ１を再び受信する必要なしに保存部１４２０に一時的に保存されたアプリケーション１を利用してドラマＡのエピソード２に対してコンテンツを再生しうる。
【０１０６】
したがって、このよう場合には、アプリケーション情報は、一チャンネルの放送コンテンツを所定の時間以上視聴すれば、例えば、一チャンネルの放送コンテンツを１０分以上視聴する場合には、その放送コンテンツに対応するアプリケーションを保存部１４２０に一時的に保存するように指示する情報を含みうる。
【０１０７】
以下では、図１６を参照して保存部１４２０に長期間保存されるように設定されたアプリケーションを利用してコンテンツを再生する方法について説明する。図１６を参照するに、保存部１４２０にコンテンツとアプリケーション１  ＡＰＰ１とが共に保存されている。例えば、保存部１４２０に保存されたコンテンツは、以前にチャンネル１で放映されるドラマＡのエピソード１についてコンテンツが録画されたものでありうる。
【０１０８】
図１６で、受信部１４１０がアプリケーション１  ＡＰＰ１を利用するコンテンツであるチャンネル１のドラマＡのエピソード２及びエピソード３についてコンテンツを受信すれば、再生部１４３０は、その受信されたコンテンツを再生する時に保存部１２２０に保存されたアプリケーション１  ＡＰＰ１を利用して再生する。
【０１０９】
この場合には、受信部１４１０も外部からコンテンツと共に伝送されたアプリケーションがアプリケーション１  ＡＰＰ１ということを認知すれば、コンテンツのみを受信し、それに対応するアプリケーションであるアプリケーション１  ＡＰＰ１は、受信しない。
【０１１０】
また、受信部１４１０がチャンネル２のドキュメンタリーについてのコンテンツとアプリケーション２とを受信するか、またはチャンネル１のニュースについてのコンテンツとアプリケーション３とを受信する場合には、再生部１４３０がチャンネル２のドキュメンタリーについてのコンテンツは、アプリケーション２を利用して再生し、チャンネル１のニュースについてのコンテンツは、アプリケーション３を利用して再生する。すなわち、この場合には、受信部１４１０がコンテンツとそれに対応するアプリケーションであるアプリケーション２及びアプリケーション３とを何れも受信する。
【０１１１】
一方、受信部１４１０を通じて受信されるアプリケーションが保存部１４２０に保存されたアプリケーション１  ＡＰＰ１と共通する部分を有する場合が存在しうる。この場合には、受信部１４１０は、外部から伝送されたアプリケーションのうち、保存部１４２０に保存されたアプリケーション１  ＡＰＰ１と共通しない部分のみを受信する。また、再生部１４３０は、コンテンツを再生するとき、保存部１４３０に保存されたアプリケーション１  ＡＰＰ１及び受信部１４１０を通じて受信されたアプリケーションのうち、アプリケーション１  ＡＰＰ１と共通しない部分を利用してコンテンツを再生する。
【０１１２】
図１７は、本発明によるコンテンツ再生方法の一実施形態を説明するための図である。
【０１１３】
ステップ１７１０では、コンテンツ及びそのコンテンツについての付加情報を提供するためのアプリケーションを、アプリケーションの保存可否の決定のための情報及びアプリケーションを説明する情報を含むアプリケーション情報と共に受信する。
【０１１４】
ステップ１７２０では、アプリケーション情報に基づいて、受信されたアプリケーションを選択的に保存する。
【０１１５】
ステップ１７３０では、保存されたアプリケーションと同じアプリケーションを利用するコンテンツが受信されれば、保存されたアプリケーションを利用して受信されたコンテンツを再生する。
【０１１６】
一方、前述した本発明の実施形態は、コンピュータで実行可能なプログラムで作成可能であり、コンピュータで読み取り可能な記録媒体を利用して前記プログラムを動作させる汎用ディジタルコンピュータで具現される。
【０１１７】
前記コンピュータで読み取り可能な記録媒体は、マグネチック保存媒体（例えば、ＲＯＭ、フロッピー（登録商標）ディスク、ハードディスクなど）、光学的判読媒体（例えば、ＣＤ−ＲＯＭ、ＤＶＤなど）及びキャリアウェーブ（例えば、インターネットを通じた伝送）のような保存媒体を含む。
【０１１８】
以上、本発明についてその望ましい実施形態を中心に説明した。当業者は、本発明が本発明の本質的な特性から逸脱しない範囲で変形された形態で具現されるということが分かるであろう。したがって、開示された実施形態は、限定的な観点ではなく、説明的な観点で考慮されねばならない。本発明の範囲は、前述した説明でなく、特許請求の範囲に現れており、それと同等な範囲内にある全ての差異点は、本発明に含まれていると解釈されねばならない。
【産業上の利用可能性】
【０１１９】
本発明は、コンテンツ録画及び再生関連の技術分野に適用可能である。
【図面の簡単な説明】
【０１２０】
【図１】従来のアナログ放送についての録画装置の録画方法の一実施形態を示す図である。
【図２】従来のデジタル放送についての録画装置の録画方法の一実施形態を示す図である。
【図３】本発明によるコンテンツ及びそのコンテンツについてのアプリケーションの録画装置の一実施形態を示す図である。
【図４】本発明によるアプリケーション情報についての一実施形態を示す図である。
【図５】本発明による録画制御情報の一実施形態を示す図である。
【図６】本発明による録画制御情報の第２実施形態を示す図である。
【図７】本発明による録画部の動作の一実施形態を説明するために示す図である。
【図８】本発明による録画部の動作の一実施形態を説明するために示す図である。
【図９】本発明による録画部の動作の一実施形態を説明するために示す図である。
【図１０】本発明による録画部の動作の一実施形態を説明するために示す図である。
【図１１】本発明による録画部の動作の一実施形態を説明するために示す図である。
【図１２】本発明によるコンテンツ及びそのコンテンツについてのアプリケーションの録画方法の一実施形態を示すフローチャートである。
【図１３】本発明による録画方法によって録画されたコンテンツ再生方法の一実施形態を示す図である。
【図１４】本発明によるコンテンツの再生装置の一実施形態を示す図である。
【図１５】本発明によるコンテンツ再生装置の動作を説明するための一実施形態を示す図である。
【図１６】本発明によるコンテンツ再生装置の動作を説明するための一実施形態を示す図である。
【図１７】本発明によるコンテンツ再生方法の一実施形態を説明するための図である。
【符号の説明】
【０１２１】
３１０,１４１０  受信部
３２０    録画部
１４２０  保存部
１４３０  再生部
【図１】
2009100451.tif 000003
【図２】
2009100451.tif 000004
【図３】
2009100451.tif 000005
【図４】
2009100451.tif 000006
【図５】
2009100451.tif 000007
【図６】
2009100451.tif 000008
【図７】
2009100451.tif 000009
【図８】
2009100451.tif 000010
【図９】
2009100451.tif 000011
【図１０】
2009100451.tif 000012
【図１１】
2009100451.tif 000013
【図１２】
2009100451.tif 000014
【図１３】
2009100451.tif 000015
【図１４】
2009100451.tif 000016
【図１５】
2009100451.tif 000017
【図１６】
2009100451.tif 000018
【図１７】
2009100451.tif 000019